(57)【要約】      （修正有）【課題】外付け式保存キャリアー装置に用いられる固定構造を提供する。【解決手段】対向して設置される２個の固定板からなり、各固定板の内側が面する保存キャリアーに予め設置されている結合孔位置に少なくとも一つの係止柱を突設し、２個の固定板の係止柱を保存キャリアーの結合孔に嵌め込んでケースに収め、前記保存キャリアーと回路基板を電気的に接続し、さらに前蓋と後蓋をケースの前、後端の開口部にそれぞれ連結し、各固定板の両端を前、後蓋の内壁にそれぞれ固定させることを特徴とする。【選択図】図２
0003126841.tif 000002
【実用新案登録請求の範囲】
【請求項１】
対向して設置される２個の固定板からなり、各固定板の内側が面する保存キャリアーに予め設置されている結合孔位置に少なくとも一つの係止柱を突設し、２個の固定板の係止柱を保存キャリアーの結合孔に嵌め込んでケースに収め、前記保存キャリアーと回路基板を電気的に接続し、さらに前蓋と後蓋をケースの前、後端の開口部にそれぞれ連結し、各固定板の両端を前、後蓋の内壁にそれぞれ固定させることを特徴とする外付け式保存キャリアー装置に用いられる固定構造。
【請求項２】
前記固定板がプラスチックにより射出形成されることを特徴とする請求項1に記載する外付け式保存キャリアー装置に用いられる固定構造。
【請求項３】
各固定板の外側に少なくとも一つの補強リブが突設されることを特徴とする請求項１に記載する外付け式保存キャリアー装置に用いられる固定構造。
【請求項４】
各固定板の少なくとも一端に弾性クリップが嵌め込まれることを特徴とする請求項１に記載する外付け式保存キャリアー装置に用いられる固定構造。
【考案の詳細な説明】
【技術分野】
【０００１】
本考案は例えばハードディスクやCD-ROMなどの固定構造の外付け式保存キャリアー装置に用いられるものに係わり、前記固定構造と保存キャリアーは嵌め込み方式により連結され、ネジ方式の不便さをなくすことができる。
【背景技術】
【０００２】
例えば２．５インチ、３．５インチHD或いは５．２５インチCD−ROMの外付けケースのような外付け式保存キャリアー装置によると、その固定構造は保存キャリアーが読み取り時の振動により、或いは携帯時の前記保存キャリアーとケースが度重なる衝撃により想定することのできない破損をしないようにするために、保存キャリアーとケース間の連結と位置定めをするものである。
【０００３】
今のところ一般的に、保存キャリアーの外付けケースの固定構造は主に二つの金属板により構成されており、保存キャリアーの側面に対応する予め設けられた結合孔の位置にはそれぞれ細長い形の孔溝が設けられ、これはネジが孔溝を突き抜け結合孔で固定されるようにするためである。それから二つの金属板が挟み込まれている保存キャリアーと一緒にケース内に入れ、回路基板と電気的に接続させる。このとき、ネジをケースに通すことにより金属板を固定し、前蓋と後蓋によりケースの前端、後端の開口部を閉じ、保存キャリアーを外付けケース内に固定することができる。
【０００４】
一般的な別の結合方式は、図１に示すように、ケースAの底面の両側に対応する保存キャリアーB底面の予め設けられた結合孔B1の位置に少なくとも一つの細長い形の孔溝A1が設けられている。組み合わせるとき、まず回路基板Cの信号と電源を保存キャリアーBに接続し、続いてネジを孔溝A1に通し結合孔B1で固定する。前記保存キャリアーBをケースA内で固定させ、最後に前蓋Dと後蓋FをケースAの前端、後端の開口部で合わせ、組み立てを完了させる。
【０００５】
しかし、前述の二種類の固定方式において、ネジは不可欠な結合部品であるので、この事が度々ユーザーに組み立て時、不便を感じさせ、さらに面倒で支障となるため、改善が期待されている。
【考案の開示】
【考案が解決しようとする課題】
【０００６】
これに鑑み、本考案者は長年PC周辺機器に携わり、特に抜き取りケースと外付けケースの設計及び生産販売の経験があることから、保存キャリアーとケースの固定方式がネジを必要とする不便さを改善しようと何度も実験とテストを行うことにより、本考案である「外付け式保存キャリアー装置に用いられる固定構造」を提案する。
【課題を解決するための手段】
【０００７】
上記の目的を達成するために、本考案は外付け式保存キャリアー装置に用いられる固定構造を提案する。それは、対向して設置される２個の固定板からなり、各固定板の内側が面する保存キャリアーに予め設置されている結合孔位置に少なくとも一つの係止柱を突設し、２個の固定板の係止柱を保存キャリアーの結合孔に嵌め込んでケースに収め、前記保存キャリアーと回路基板を電気的に接続し、さらに前蓋と後蓋をケースの前、後端の開口部にそれぞれ連結し、各固定板の両端を前、後蓋の内壁にそれぞれ固定させることを特徴とする。
【０００８】
本考案のその次の目的は外付け式保存キャリアー装置に用いられる固定構造を提案することであり、そのうち固定板がプラスチックにより射出形成される。
【０００９】
本考案の別の目的は外付け式保存キャリアー装置に用いられる固定構造を提案することであり、そのうち各固定板の外側に少なくとも一つの補強リブが突設される。
【００１０】
本考案の他の目的は外付け式保存キャリアー装置に用いられる固定構造を提案することであり、そのうち各固定板の少なくとも一端に弾性クリップが嵌め込まれる。
【考案の効果】
【００１１】
本考案の外付け式保存キャリアー装置に用いられる固定構造は保存キャリアーとケースの固定方式がネジを必要とする不便さを改善することにある。
【考案を実施するための最良の形態】
【００１２】
（実施例）
図２に示すように、前記外付け式保存キャリアー装置はケース１、回路基板２、固定構造３、後蓋４、前蓋５により構成される。
【００１３】
ケース１は中空容器で、それは実施例において押し出し式或いは上、下のケースの突合せ、プラスチック射出成形などの一体成型であり、前記ケース１の前端、後端にそれぞれ開口部を形成させる。
【００１４】
回路基板は従来のもので、その内側には保存キャリアーBの信号接続バーと連接するための第一信号コネクタ２１を備え、外側には例えばUSBインターフェーズコネクタなどのパソコンに直接接続する、或いは信号ラインによりパソコンに接し続信号の伝達を行うための第二信号コネクタが設けられている（投影角度により図には示していない）。また、前記回路基板２の外側に電源の切り替えのために電源入力プラグと電源スイッチが設置されており（投影角度により図には示していない）、内側は保存キャリアーBの電源プラグを接続し電源とするために電源入力プラグが伸ばされている。
【００１５】
固定構造３は二つの固定板３１が相対して設置されることにより形成され、その内側が面する保存キャリアーBに予め設けられている結合孔B1の位置に少なくとも一つの係止柱３２を突設し、直接結合孔B1内に嵌め込み、二つの固定板３１を前記保存キャリアーBに入れ、ケース１に収める。最も優れているものは、前記固定板３１の実施例において、製造コストを下げることができるプラスチック射出成形が良いものとされている。その構造応力を向上させるために、外側の表面に少なくとも一つの補強リブ３３を突設する。また組み立て時、交差により生じる隙間のせいで各固定板３１の両端が前蓋５、後蓋４と固定できなくならないように、少なくとも一端に弾性クリップ３４を嵌め込む。
【００１６】
後蓋４は従来のもので、ケース１の後端の開口部１１を閉じ、それは前記の回路基板２の第二コネクタに対応している。電源入力プラグと電源スイッチの位置は貫通孔４１に設けられ、それは伸ばすことができる。図に示すように、前記回路基板２は後蓋４の内側に接続され、保存キャリアーBをつなぎ、電源スイッチの切り替えをするのに有利である。
【００１７】
前蓋５は従来のものであり、ケース１の前端の開口部１１を閉じる。
【００１８】
図２、図３に示すように、本考案は組み立て時、まず二つの固定板３１の少なくとも一つの係止柱３２を保存キャリアーBが対応する結合孔B1内に嵌め込み、それらを一緒にケース１の内部に収め、続いて回路基板２を有する後蓋４と保存キャリアーBを電気的に接続し、前蓋５、後蓋４をケース1の前端、後端の開口部１１にそれぞれ連結し、各固定板３１の両端をそれぞれ前蓋５、後蓋４の内壁に固定し、組み立てを完了させる。
【００１９】
従って、本考案の実施例では、前記固定構造は嵌め込み式により保存キャリアーとつなげるので、従来のネジで固定する時の不便さと面倒をなくすことができる。また、補強リブの設置により、各固定板の構造応力を向上させることができる。最も優れているものは、組み立て時に交差により生じる隙間について、固定板の少なくとも一端に嵌め込まれている弾性クリップによりそれを解決するもので、それはかつて見たことがないような良い構造である。
【００２０】
本考案で示すものは最適な実施例のうちの一つであり、この領域を熟知している技術者により手を加え、変更することができるが、すべて上記の特許請求の範囲内に含まれる。
【００２１】
以上述べたことをまとめれば、本考案の目的、手段、効果は従来技術の特徴と異なっており、新規性、実用性を備え、且つ新型特許に合致するので、出来るだけ早く本考案が登録され、社会の役に立てることを願っております。
【図面の簡単な説明】
【００２２】
【図１】従来のハードディスクの外付けケースを示す傾斜分解図。
【図２】本考案の外付け式保存キャリアー装置を示す傾斜分解図。
【図３】本考案の組み立て後の局部を示す俯瞰図。
【符号の説明】
【００２３】
A  ケース
A1  孔溝
B  保存キャリアー
B１結合孔
C  回路基板
D  前蓋
F  後蓋
１  ケース
１１開口
２  回路基板
２１第一信号コネクタ
３  固定構造
３１固定板
３２係止柱
３３補強リブ
３４弾性クリップ
４１貫通孔
４  後蓋
５  前蓋
【図１】
0003126841.tif 000003
【図２】
0003126841.tif 000004
【図３】
0003126841.tif 000005